(57)【要約】【課題】出力されるクロック信号が発振することなく、デューティが一定になるようにクロック信号を補正することが可能なクロックデューティ補正回路を提供する。【解決手段】クロックデューティ補正回路１００は、クロック信号が入力され、入力されたクロック信号の波形の立ち上がりに合わせて波形が立ち上がりパルス幅が一定の幅であるワンショットパルス信号を生成するワンショットパルス信号生成部１１０と、ワンショットパルス信号生成部１１０の出力が一方の入力側に入力される否定論理和回路１２０と、否定論理和回路１２０の出力信号を遅延させる第１遅延回路１３０を有し、第１遅延回路１３０により遅延された否定論理和回路１２０の出力を否定論理和回路１２０の他方の入力側にフィードバックする帰還回路１４０と、否定論理和回路１２０の出力信号が入力される第２ローパスフィルタ１５０と、を備える。【選択図】図３
2012199748.tif 000002
【特許請求の範囲】
【請求項１】
クロック信号が入力され、当該入力されたクロック信号の波形の立ち上がりに合わせて波形が立ち上がりパルス幅が一定の幅であるワンショットパルス信号を生成するワンショットパルス信号生成部と、
前記ワンショットパルス信号生成部の出力が一方の入力側に入力される否定論理和回路と、
前記否定論理和回路の出力信号を遅延させる遅延回路を有し、前記遅延回路により遅延された前記否定論理和回路の出力を前記否定論理和回路の他方の入力側にフィードバックする帰還回路と、
前記否定論理和回路の出力信号が入力される帯域除去フィルタと、
を備えるクロックデューティ補正回路。
【請求項２】
前記遅延回路は、抵抗とコンデンサとを備える第１ローパスフィルタと、前記抵抗に並列に接続されるダイオードとから構成される
請求項１に記載のクロックデューティ補正回路。
【請求項３】
前記ダイオードは、ショットキーダイオードである
請求項２に記載のクロックデューティ補正回路。
【請求項４】
前記帯域除去フィルタの後段に分圧抵抗が接続され、前記分圧抵抗の後段にインバータが接続される
請求項１から３のいずれか１項に記載のクロックデューティ補正回路。
【請求項５】
前記インバータから出力されるクロック信号は、省電力モードに移行した場合のスリープクロック信号である
請求項４に記載のクロックデューティ補正回路。
【請求項６】
前記帯域除去フィルタは、第２ローパスフィルタである
請求項１から５のいずれか１項に記載のクロックデューティ補正回路。
【請求項７】
前記帯域除去フィルタは、ノッチフィルタである
請求項１から５のいずれか１項に記載のクロックデューティ補正回路。
【発明の詳細な説明】
【技術分野】
【０００１】
本発明は、クロック信号のデューティを補正するクロックデューティ補正回路に関する。
【背景技術】
【０００２】
従来からクロック信号のデューティを一定にする補正回路が存在する。その補正回路は、クロック信号の反転出力と正転出力とを出力するＯＲ回路と、ＯＲ回路の反転出力をこのＯＲ回路の入力側に帰還させる帰還回路とを備える。この帰還回路には、積分回路が接続されている。積分回路は、ＯＲ回路において反転された信号を積分することにより、クロック信号のデューティが５０％になるようにオフセットする（特許文献１参照）。
【先行技術文献】
【特許文献】
【０００３】
【特許文献１】特開平７−１５２９９号公報
【発明の概要】
【発明が解決しようとする課題】
【０００４】
しかしながら、上述した補正回路では、クロック信号が高レベル又は低レベルに固定された場合に、出力されるクロック信号が発振してしまう。補正回路の出力信号が発振した場合には、後段の内部回路が誤動作してしまう。
【０００５】
本発明は、出力されるクロック信号が発振することなく、デューティが一定になるようにクロック信号を補正することが可能なクロックデューティ補正回路を提供することを目的とする。
【課題を解決するための手段】
【０００６】
本発明のクロックデューティ補正回路は、クロック信号が入力され、当該入力されたクロック信号の波形の立ち上がりに合わせて波形が立ち上がりパルス幅が一定の幅であるワンショットパルス信号を生成するワンショットパルス信号生成部と、前記ワンショットパルス信号生成部の出力が一方の入力側に入力される否定論理和回路と、前記否定論理和回路の出力信号を遅延させる遅延回路を有し、前記遅延回路により遅延された前記否定論理和回路の出力を前記否定論理和回路の他方の入力側にフィードバックする帰還回路と、前記否定論理和回路の出力信号が入力される帯域除去フィルタと、を備えることを特徴とする。
【０００７】
また、前記遅延回路は、抵抗とコンデンサとを備える第１ローパスフィルタと、前記抵抗に並列に接続されるダイオードとから構成されることが好ましい。
【０００８】
また、前記ダイオードは、ショットキーダイオードであることが好ましい。
【０００９】
また、前記帯域除去フィルタの後段に分圧抵抗が接続され、前記分圧抵抗の後段にインバータが接続されることが好ましい。
【００１０】
また、前記インバータから出力されるクロック信号は、省電力モードに移行した場合のスリープクロック信号であることが好ましい。
【００１１】
また、前記帯域除去フィルタは、第２ローパスフィルタであることが好ましい。
【００１２】
また、前記帯域除去フィルタは、ノッチフィルタであることが好ましい。
【発明の効果】
【００１３】
本発明によれば、出力されるクロック信号が発振することなく、デューティが一定になるようにクロック信号を補正することができる。
【図面の簡単な説明】
【００１４】
【図１】携帯電話機の外観斜視図である。
【図２】携帯電話機の機能を示す機能ブロック図である。
【図３】本発明の第１実施形態に係るクロックデューティ補正回路を説明するための図である。
【図４】モノステーブルマルチバイブレータについて説明するための図である。
【図５】ハイパスフィルタについて説明するための図である。
【図６】第１遅延回路について説明するための図である。
【図７】図３の位置ａにおける第１のクロック信号の波形を説明するための図である。
【図８】図３の位置ｂにおける第１のクロック信号の波形を説明するための図である。
【図９】図３の位置ａにおける第２のクロック信号の波形を説明するための図である。
【図１０】図３の位置ｂにおける第２のクロック信号の波形を説明するための図である。
【図１１】本発明の第２実施形態に係るクロックデューティ補正回路を説明するための図である。
【図１２】図１１の位置ｃにおけるクロック信号の波形を説明するための図である。
【図１３】図１１の位置ｄにおけるクロック信号の波形を説明するための図である。
【図１４】図１１の位置ｅにおけるクロック信号の波形を説明するための図である。
【図１５】図１１の位置ｆにおけるクロック信号の波形を説明するための図である。
【図１６】ノッチフィルタについて説明するための図である。
【図１７】ノッチフィルタのフィルタ特性を示す図である。
【発明を実施するための形態】
【００１５】
以下、図面を参照して、本発明の一実施形態に係るクロックデューティ補正回路について説明する。まず、クロックデューティ補正回路が搭載される電子機器の一例（携帯電話機１）について説明する。図１は、携帯電話機１の外観斜視図である。なお、図１は、いわゆる折り畳み型の携帯電話機の形態を示しているが、本発明に係る携帯電話機の形態としては特にこれに限られない。例えば、携帯電話機は、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ、フリップタイプ）でもよい。
【００１６】
携帯電話機１は、操作部側筐体部２と、表示部側筐体部３とを備える。操作部側筐体部２は、表面部１０に、操作部１１と、携帯電話機１の使用者が通話時に発した音声を入力するマイク１２とを備える。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。なお、これらのキーは、表示部２１と一体に形成されたタッチパネルに配置（表示）するようにしてもよい。
【００１７】
また、表示部側筐体部３は、表面部２０に、各種情報を表示する表示部２１と、通話の相手側の音声を出力するスピーカ２２とを備える。
【００１８】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００１９】
また、図２は、携帯電話機１の機能を示す機能ブロック図である。携帯電話機１は、図２に示すように、操作部１１と、マイク１２と、画像処理部４２と、音声処理部４３と、メモリ４４と、制御部４５と、通信部４６と、表示部２１と、スピーカ２２と、ドライバＩＣ２３と、水晶発振器５０と、クロックデューティ補正回路１００とを操作部側筐体部２又は表示部側筐体部３に備える。
【００２０】
通信部４６は、メインアンテナ４０と、ＲＦ回路部４１とを備える。メインアンテナ４０は、所定の使用周波数帯（例えば、８００ＭＨｚ）で基地局等の外部装置と通信を行う構成である。なお、本実施形態では、所定の使用周波数帯として、８００ＭＨｚとしたが、これ以外の周波数帯であってもよい。
【００２１】
ＲＦ回路部４１は、メインアンテナ４０によって受信した信号を復調処理し、処理後の信号を制御部４５に供給する。そして、ＲＦ回路部４１は、制御部４５から供給された信号を変調処理し、メインアンテナ４０を介して外部装置に送信する。また、その一方で、ＲＦ回路部４１は、メインアンテナ４０によって受信している信号の強度を制御部４５に通知する。
【００２２】
画像処理部４２は、制御部４５の制御にしたがって、所定の画像処理を行い、処理後の画像データをドライバＩＣ２３に出力する。ドライバＩＣ２３は、画像処理部４２から供給された画像データをフレームメモリに蓄え、所定のタイミングで表示部２１に出力する。
【００２３】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２４】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２５】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていてもよい。
【００２６】
クロック信号発生部としての水晶発振器５０は、所定の周波数（一例として約３２ｋＨｚ）で発振する水晶振動子５１と、この水晶振動子５１を駆動させる発振部５２とを備える。発振部５２は、水晶振動子５１に駆動電圧を供給して水晶振動子５１を所定の周波数（約３２ｋＨｚ）で発振させた場合に、所定の周波数（約３２ｋＨｚ）のクロック信号を出力する。
【００２７】
クロックデューティ補正回路１００，２００は、水晶発振器５０から供給されたクロック信号のデューティが一定（５０％）になるよう補正して、補正されたクロック信号を制御部４５等に供給する。クロックデューティ補正回路１００，２００の詳細については、後述する。
【００２８】
制御部４５は、携帯電話機１の全体を制御しており、中央処理装置（ＣＰＵ）等を用いて構成される。
【００２９】
次に、クロックデューティ補正回路１００，２００について詳細に説明する。まず、第１実施形態に係るクロックデューティ補正回路１００について説明する。図３は、本発明の第１実施形態に係るクロックデューティ補正回路１００を説明するための図である。
【００３０】
第１実施形態に係るクロックデューティ補正回路１００は、ワンショットパルス信号生成部１１０と、否定論理和（ＮＯＲ）回路１２０と、第１遅延回路１３０を備える帰還回路１４０と、帯域除去フィルタとしての第２ローパスフィルタ１５０と、出力端子１６０とを備える。
【００３１】
ワンショットパルス信号生成部１１０は、クロック信号が入力され、入力されたクロック信号の波形の立ち上がりに合わせて波形が立ち上がり、パルス幅が一定の幅であるワンショットパルス信号を生成する。クロック信号は、水晶発振器５０から供給される。
【００３２】
ワンショットパルス信号生成部１１０は、モノステーブルマルチバイブレータ又はハイパスフィルタから構成される。
モノステーブルマルチバイブレータは、ゲート回路と遅延回路とを組み合わせるもの、ＳＲ型フリップフロップを用いるもの、Ｄ型フリップフロップを用いるもののいずれであってもよく、例えば、図４に示すようなものであればよい。図４に示すモノステーブルマルチバイブレータは、Ｄ型フリップフロップ１１１と、Ｄ型フリップフロップ１１１のＲ出力に接続される第２遅延回路１１２と、Ｄ型フリップフロップ１１１のＱ出力及び第２遅延回路１１２の出力に接続される端子１１３とを備える。第２遅延回路１１２は、例えば、抵抗とコンデンサとから構成されるローパスフィルタであればよい。
また、ハイパスフィルタは、例えば、図５に示すようなコンデンサＣ１と抵抗Ｒ１の回路から構成される。
【００３３】
否定論理和（ＮＯＲ）回路１２０は、ワンショットパルス信号生成部１１０の出力が一方の入力側に入力される。すなわち、否定論理和回路１２０には、ワンショットパルス信号生成部１１０が出力した信号と、後述する帰還回路１４０からの信号とが入力される。否定論理和回路１２０は、ワンショットパルス信号生成部１１０が出力した信号の信号レベルと、帰還回路１４０から出力される信号の信号レベルとがいずれもＬｏｗ（低）になる場合に、信号レベルがＨｉｇｈ（高）となる信号を出力する。一方、否定論理和回路１２０は、ワンショットパルス信号生成部１１０が出力した信号と、帰還回路１４０から出力される信号とのうち、少なくとも一方の信号の信号レベルがＨｉｇｈ（高）になる場合に、信号レベルがＬｏｗ（低）となる信号を出力する。このような否定論理和回路１２０の否定論理和演算により、否定論理和回路１２０から出力される信号は、デューティが一定（５０％）になる。
【００３４】
帰還回路１４０は、否定論理和回路１２０の出力信号を遅延させる第１遅延回路１３０（本発明の「遅延回路」に対応する）を有し、第１遅延回路１３０により遅延された否定論理和回路１２０の出力を否定論理和回路１２０の他方の入力側にフィードバックする。
【００３５】
第１遅延回路１３０は、図６に示すように、抵抗Ｒ２とコンデンサＣ２とを備えるローパスフィルタ（第１ローパスフィルタ１３１）と、抵抗Ｒ２に並列に接続されるダイオード１３２とから構成される。ダイオード１３２のカソードは、帰還回路１４０の入力側に接続される一方、ダイオード１３２のアノードは、帰還回路１４０の出力側に接続される。
【００３６】
ダイオード１３２は、ショットキーダイオードであることが好ましい。ショットキーダイオードは、順方向電圧降下が０．３Ｖ以下となる。ここで、ダイオード１３２は、第１ローパスフィルタ１３１にＬｏｗ（低）レベルの信号が入力された場合に、第１ローパスフィルタ１３１から出力される信号の波形を直ぐに立ち下げるために接続されている。ダイオード１３２がショットキーダイオードとされた場合において、第１ローパスフィルタ１３１に低レベルの信号が入力されると、第１ローパスフィルタ１３１から出力される信号の波形は、０．３Ｖ以下のレベルになるまで急激に立下り、その後、波形がなまることになる。したがって、ショットキーダイオードは、第１ローパスフィルタ１３１から出力される信号がＨｉｇｈ（高）レベルから低レベルに移行するときの出力信号における波形のなまりを少なくすることが可能になる。
【００３７】
帯域除去フィルタは、否定論理和回路１２０の出力信号が入力される。帯域除去フィルタは、例えば、図３に示すように、抵抗Ｒ３と、コンデンサＣ３とから構成されるローパスフィルタ（第２ローパスフィルタ１５０）である。第２ローパスフィルタ１５０は、否定論理和回路１２０の出力信号に含まれる発振成分（高周波成分）を除去する。すなわち、第２ローパスフィルタ１５０は、否定論理和回路１２０の出力信号に発振成分が含まれている場合には、出力信号から発振成分を除去する。さらに換言すると、第２ローパスフィルタ１５０は、基本波のＬｏｗ（低）区間で発生した発振成分を除去して出力信号の波形を整形する。この場合、第２ローパスフィルタ１５０は、発振成分の周波数が不明であることから、基本波の特性が許させるぎりぎりのカットオフ周波数に設定されることが好ましい。
【００３８】
出力端子１６０の後段には、クロックデューティ補正回路１００が搭載される携帯電話機１の内部回路（制御部４５）が接続される。携帯電話機１が省電力モードになる場合でも、クロックデューティ補正回路１００は、水晶発振器５０から出力されるクロック信号（スリープクロック信号）のデューティを一定（５０％）にすることが可能になる。
【００３９】
次に、クロックデューティ補正回路１００の作用について説明する。図７は、図３の位置ａにおける第１のクロック信号の波形を説明するための図である。図８は、図３の位置ｂにおける第１のクロック信号の波形を説明するための図である。図９は、図３の位置ａにおける第２のクロック信号の波形を説明するための図である。図１０は、図３の位置ｂにおける第２のクロック信号の波形を説明するための図である。
【００４０】
否定論理和回路１２０には、帰還回路１４０からの信号が入力される。このため、否定論理和回路１２０の出力信号（クロック信号）には、図７及び図９に示すように、基本波Ｓ１（約３２ｋＨｚ）に加えて発振成分Ｓ２が含まれる。図７及び図９からわかるように、基本波Ｓ１の周波数と発振成分Ｓ２の周波数とは大きく異なる。ここで、発振成分Ｓ２の周波数は、例えば、２００ＭＨｚ程度になる場合がある。なお、性能の良い（応答時間の早い）否定論理和回路１２０を用いた場合には、発振成分Ｓ２の周波数は、基本波Ｓ１の周波数に比べてより高くなる。基本波Ｓ１の周波数と発振成分Ｓ２の周波数との差がより大きくなった場合には、第２ローパスフィルタ１５０から出力される信号の波形は、きれいになる。
【００４１】
そして、発振成分Ｓ２の周波数が約２００ＭＨｚの場合に、第２ローパスフィルタ１５０の特性周波数をｆ０＝３２０ｋＨｚとすると、出力信号の波形は、図８に示すようになる。さらに、発振成分Ｓ２の周波数が約２００ＭＨｚの場合に、第２ローパスフィルタ１５０の特性周波数をｆ０＝３．２ＭＨｚとすると、出力信号の波形は、図１０に示すようになる。図８及び図１０からわかるように、第２ローパスフィルタ１５０の出力信号には、発振成分Ｓ２が含まれていない。さらに、第２ローパスフィルタ１５０のカットオフ周波数（３．２ＭＨｚ）を基本波Ｓ１の周波数（約３２ｋＨｚ）に対してより高くなるように設定することで、第２ローパスフィルタ１５０の信号波形は、図１０に示すように、より元の信号に近い波形となる。
【００４２】
したがって、クロックデューティ補正回路１００は、出力されるクロック信号が発振することなく、デューティが一定になるようにクロック信号を補正することができる。
また、クロックデューティ補正回路１００が出力するクロック信号は、携帯電話機１が省電力モードに移行した場合のスリープクロック信号である。したがって、クロックデューティ補正回路１００が搭載される携帯電話機１が省電力モードになった場合でも、クロックデューティ補正回路１００は、クロック信号のデューティを一定にすることができる。
【００４３】
次に、第２実施形態に係るクロックデューティ補正回路２００について説明する。
図１１は、本発明の第２実施形態に係るクロックデューティ補正回路２００を説明するための図である。
【００４４】
第２実施形態に係るクロックデューティ補正回路２００は、ワンショットパルス信号生成部１１０と、否定論理和回路１２０と、帰還回路１４０と、帯域除去フィルタ（第２ローパスフィルタ１５０）と、分圧抵抗Ｒ４，Ｒ５と、インバータ２１０と、出力端子１６０とを備える。
【００４５】
第２実施形態のクロックデューティ補正回路２００に用いられるワンショットパルス信号生成部１１０と、否定論理和回路１２０と、帰還回路１４０と、第２ローパスフィルタ１５０と、出力端子１６０とは、第１実施形態のクロックデューティ補正回路１００にそれぞれ用いられるものと同じ構成である。
【００４６】
分圧抵抗Ｒ４，Ｒ５は、第２ローパスフィルタ１５０の後段に接続される。分圧抵抗Ｒ４，Ｒ５は、第２ローパスフィルタ１５０から出力される出力信号のレベルを変換する。分圧抵抗Ｒ４，Ｒ５それぞれの抵抗値は、分圧抵抗Ｒ４，Ｒ５から出力される信号における発振成分を除去した部分Ｓ３（図１３参照）の信号レベルが後述するインバータ２１０のしきい値未満となるように設定される。
【００４７】
インバータ２１０は、分圧抵抗Ｒ４，Ｒ５の後段に接続される。すなわち、インバータ２１０の入力端は、分圧抵抗Ｒ４と分圧抵抗Ｒ５との間に接続される。インバータ２１０は、入力される信号の信号レベルが所定のしきい値未満である場合には、Ｈｉｇｈ（高）レベルの信号を出力し、入力される信号の信号レベルが所定のしきい値以上である場合には、Ｌｏｗ（低）レベルの信号を出力する。
【００４８】
次に、クロックデューティ補正回路２００の作用について説明する。図１２は、図１１の位置ｃにおけるクロック信号の波形を説明するための図である。図１３は、図１１の位置ｄにおけるクロック信号の波形を説明するための図である。図１４は、図１１の位置ｅにおけるクロック信号の波形を説明するための図である。図１５は、図１１の位置ｆにおけるクロック信号の波形を説明するための図である。
【００４９】
否定論理和回路１２０には、帰還回路１４０からの信号が入力される。このため、否定論理和回路１２０の出力信号（クロック信号）には、図１２に示すように、基本波Ｓ１（約３２ｋＨｚ）に加えて発振成分Ｓ２が含まれる。
【００５０】
第２ローパスフィルタ１５０は、否定論理和回路１２０の出力信号に含まれる発振成分Ｓ２を除去する。このため、第２ローパスフィルタ１５０の出力信号は、図１３に示すようになる。
【００５１】
分圧抵抗Ｒ４，Ｒ５は、第２ローパスフィルタ１５０の出力信号を減衰させる。このため、分圧抵抗Ｒ４，Ｒ５から出力される出力信号は、図１４に示すようになる。このとき、その出力信号における発振成分を除去した部分Ｓ３の信号レベルは、インバータ２１０に設定されたしきい値未満のレベルとなる。
【００５２】
インバータ２１０は、分圧抵抗Ｒ４，Ｒ５が出力する出力信号の信号レベルが所定のしきい値未満である場合には、Ｈｉｇｈ信号を出力し、分圧抵抗Ｒ４，Ｒ５が出力する出力信号の信号レベルが所定のしきい値以上である場合には、Ｌｏｗ信号を出力する。このため、インバータ２１０の出力信号は、図１５に示すようになる。
【００５３】
したがって、クロックデューティ補正回路２００は、出力されるクロック信号が発振することなく、デューティが一定になるようにクロック信号を補正することができる。
また、クロックデューティ補正回路２００が出力するクロック信号は、携帯電話機１が省電力モードに移行した場合のスリープクロック信号である。したがって、クロックデューティ補正回路２００が搭載される携帯電話機１が省電力モードになった場合でも、クロックデューティ補正回路２００は、クロック信号のデューティを一定にすることができる。
【００５４】
なお、上述した実施形態では、帯域除去フィルタとして第２ローパスフィルタ１５０を用いた場合について説明した。しかしながら、帯域除去フィルタは、第２ローパスフィルタ１５０に限定されることはなく、例えば、ノッチフィルタであってもよい。
否定論理和回路１２０から出力される出力信号は、基本波に加えて発振成分を含む。ここで、否定論理和回路１２０や帰還回路１４０等を適宜調整することにより、出力信号に含まれる発振成分の周波数を所定の周波数に設定すれば、その発振成分は、図１６に示すようなノッチフィルタ３００によって除去することが可能である。例えば、発振成分の周波数が約２００ＭＨｚの場合には、抵抗Ｒ６，Ｒ７は１１ｋΩに、抵抗Ｒ８は２．７ｋΩに、コンデンサＣ４，Ｃ５，Ｃ６は０．１ｐＦにそれぞれ設定される。この場合のフィルタ特性は、図１７に示すようになる。
これにより、ノッチフィルタ３００は、基本波に影響を与えることなく、出力信号に含まれる発振成分を除去することができる。
【００５５】
また、上述した実施形態では、クロックデューティ補正回路１００，２００が携帯電話機１に搭載される場合を例示して説明した。しかしながら、クロックデューティ補正回路１００，２００は、携帯電話機１に搭載されるばかりでなく、クロック信号を利用する電子機器、例えば、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）やポータブルゲーム機やポータブルナビゲーションデバイス等に搭載されることができる。
【００５６】
また、上述した実施形態では、クロックデューティ補正回路１００，２００が出力するクロック信号は、スリープクロック信号であると説明した。しかしながら、クロック信号は、スリープクロック信号に限られず、例えば、表示部２１に画像データを伝送する際のクロック信号等であってもよい。
【符号の説明】
【００５７】
１  携帯電話機
１００  クロックデューティ補正回路
１１０  ワンショットパルス信号生成部
１２０  否定論理和回路
１３０  第１遅延回路
１３１  第１ローパスフィルタ
１３２  ダイオード
１４０  帰還回路
１５０  第２ローパスフィルタ
２００  クロックデューティ補正回路
２１０  インバータ
３００  ノッチフィルタ
Ｒ４，Ｒ５  分圧抵抗
【図１】
2012199748.tif 000003
【図２】
2012199748.tif 000004
【図３】
2012199748.tif 000005
【図４】
2012199748.tif 000006
【図５】
2012199748.tif 000007
【図６】
2012199748.tif 000008
【図７】
2012199748.tif 000009
【図８】
2012199748.tif 000010
【図９】
2012199748.tif 000011
【図１０】
2012199748.tif 000012
【図１１】
2012199748.tif 000013
【図１２】
2012199748.tif 000014
【図１３】
2012199748.tif 000015
【図１４】
2012199748.tif 000016
【図１５】
2012199748.tif 000017
【図１６】
2012199748.tif 000018
【図１７】
2012199748.tif 000019